(57)【要約】  本技術は、より簡単な操作で、所望のコンテンツを視聴することができるようにする情報処理装置、情報処理方法、受信装置、および受信方法に関する。サーバは、所定のURLにテレビジョン受像機の所定のチャンネルを割り当て、所定の電子機器により指定されたコンテンツとURLとを関連付け、テレビジョン受像機でチャンネルが選択されたことに応じて、テレビジョン受像機からURLと関連付けられたコンテンツのリクエストを受信し、そのリクエストに応じてコンテンツをテレビジョン受像機に配信するように制御する。テレビジョン受像機は、サーバでURLが割り当てられたチャンネルの選択を受け付け、チャンネルが選択されたことに応じて、サーバに、電子機器により指定され、サーバによりURLに関連付けられたコンテンツのリクエストを送信し、そのリクエストに応じて配信されるコンテンツを受信する。本技術は、コンテンツ配信システムに適用することができる。
2017090459.tif 000002
【特許請求の範囲】
【請求項１】
所定の特定情報にテレビジョン受像機の所定のチャンネルを割り当てる割り当て部と、
所定の電子機器または所定のユーザによって指定された少なくとも１つのコンテンツと前記特定情報とを関連付ける関連付け部と、
前記テレビジョン受像機において前記チャンネルが選択されたことに応じて、前記テレビジョン受像機から、前記特定情報と関連付けられた前記コンテンツのリクエストを受信する受信部と、
前記リクエストに応じて、前記コンテンツを前記テレビジョン受像機に配信するように制御する配信制御部と
を備える情報処理装置。
【請求項２】
前記割り当て部は、複数の前記特定情報それぞれに、異なる前記チャンネルを割り当て、
前記関連付け部は、前記コンテンツの種別毎に、複数の前記特定情報それぞれと前記コンテンツとを関連付ける
請求項１に記載の情報処理装置。
【請求項３】
前記コンテンツの種別は、前記コンテンツを指定した前記電子機器を特定するIDである
請求項２に記載の情報処理装置。
【請求項４】
前記コンテンツの種別は、メディアの種類である
請求項２に記載の情報処理装置。
【請求項５】
前記コンテンツの種別は、前記コンテンツのジャンル、または、前記コンテンツを指定した前記電子機器のユーザの嗜好の強さである
請求項２に記載の情報処理装置。
【請求項６】
前記関連付け部は、前記テレビジョン受像機の表示部に表示される情報が、前記電子機器に取得されることに応じて、前記電子機器によって指定された前記コンテンツと前記特定情報とを関連付ける
請求項２に記載の情報処理装置。
【請求項７】
前記表示部に表示される情報には、前記特定情報に割り当てられる前記チャンネルを示すチャンネル情報が含まれ、
前記関連付け部は、前記チャンネル情報が前記電子機器に取得されることに応じて、前記コンテンツの種別毎に、前記チャンネル情報で示される前記チャンネルに割り当てられた前記特定情報と前記コンテンツとを関連付ける
請求項６に記載の情報処理装置。
【請求項８】
前記配信制御部は、複数の前記コンテンツと前記特定情報とが関連付けられている場合、前記リクエストに応じて、所定の順番で、複数の前記コンテンツを連続して前記テレビジョン受像機に配信するように制御する
請求項１に記載の情報処理装置。
【請求項９】
前記配信制御部は、前記コンテンツが前記電子機器によって指定された時刻の順番で、複数の前記コンテンツを連続して前記テレビジョン受像機に配信するように制御する
請求項８に記載の情報処理装置。
【請求項１０】
前記電子機器によって指定された複数の前記コンテンツの配信の優先順位を設定する設定部をさらに備え、
前記配信制御部は、設定された前記優先順位に従って、複数の前記コンテンツを連続して前記テレビジョン受像機に配信するように制御する
請求項８に記載の情報処理装置。
【請求項１１】
前記設定部は、前記電子機器に対するユーザの操作に基づいて、前記優先順位を設定する
請求項１０に記載の情報処理装置。
【請求項１２】
前記チャンネルは、テレビジョン放送に用いられていない空きチャンネルである
請求項１に記載の情報処理装置。
【請求項１３】
所定の特定情報にテレビジョン受像機の所定のチャンネルを割り当て、
所定の電子機器または所定のユーザによって指定された少なくとも１つのコンテンツと前記特定情報とを関連付け、
前記テレビジョン受像機において前記チャンネルが選択されたことに応じて、前記テレビジョン受像機から、前記特定情報と関連付けられた前記コンテンツのリクエストを受信し、
前記リクエストに応じて、前記コンテンツを前記テレビジョン受像機に配信するように制御する
ステップを含む情報処理方法。
【請求項１４】
所定の情報処理装置によって所定の特定情報が割り当てられた所定のチャンネルの選択を受け付ける選択受付部と、
前記チャンネルが選択されたことに応じて、前記情報処理装置に、所定の電子機器または所定のユーザによって指定された少なくとも１つのコンテンツであって、前記情報処理装置によって前記特定情報と関連付けられた前記コンテンツのリクエストを送信する送信部と、
前記リクエストに応じて配信される前記コンテンツを受信する受信部と
を備える受信装置。
【請求項１５】
前記チャンネルにおいて前記コンテンツが配信されることを示す表示情報を含むEPG（Electronic Program Guide）を表示するためのEPGデータを生成するEPGデータ生成部をさらに備える
請求項１４に記載の受信装置。
【請求項１６】
前記EPGデータ生成部は、複数の前記コンテンツが配信される場合、前記EPGにおいて時間軸を示す方向に所定の順番で、配信される複数の前記コンテンツの前記表示情報を並べて表示するための前記EPGデータを生成する
請求項１５に記載の受信装置。
【請求項１７】
前記所定の順番は、前記コンテンツが前記電子機器によって指定された時刻の順番である
請求項１６に記載の受信装置。
【請求項１８】
前記所定の順番は、前記コンテンツを指定した前記電子機器のユーザの操作に基づいて設定された優先順位である
請求項１６に記載の受信装置。
【請求項１９】
前記所定の順番は、前記コンテンツを指定した前記電子機器のユーザの嗜好の強い順番、または、前記コンテンツの再生時間に基づく順番である
請求項１６に記載の受信装置。
【請求項２０】
所定の情報処理装置によって所定の特定情報が割り当てられた所定のチャンネルの選択を受け付け、
前記チャンネルが選択されたことに応じて、前記情報処理装置に、所定の電子機器または所定のユーザによって指定された少なくとも１つのコンテンツであって、前記情報処理装置によって前記特定情報と関連付けられた前記コンテンツのリクエストを送信する送信部と、
前記リクエストに応じて配信される前記コンテンツを受信する
ステップを含む受信方法。
【発明の詳細な説明】
【技術分野】
【０００１】
本技術は、情報処理装置、情報処理方法、受信装置、および受信方法に関し、特に、所望のコンテンツを視聴することができるようにする情報処理装置、情報処理方法、受信装置、および受信方法に関する。
【背景技術】
【０００２】
特許文献１には、テレビジョン受像機の空きチャンネルに、ブラウザの起動を割り当てることが開示されている。これにより、Webページを手軽に閲覧することが可能になる。
【先行技術文献】
【特許文献】
【０００３】
【特許文献１】特開２００２−４４５３６号公報
【発明の概要】
【発明が解決しようとする課題】
【０００４】
ところで、近年、所定のストリーミングプロトコルを用いて、モバイル機器とテレビジョン受像機との間でコンテンツを共有することが行われている。【０００５】
この場合、ユーザは、テレビジョン受像機の近くで所定の操作をし、その場でコンテンツを視聴する他なく、外出先などで見つけたコンテンツをブックマークして、後で視聴することはできなかった。【０００６】
また、所定の動画投稿サイトにログインすることで、デバイス間でコンテンツを共有することも行われている。【０００７】
この場合、ログインの操作が必要であったり、コンテンツを視聴するためのアプリケーション毎に操作が異なったりと、ユーザに煩雑な操作が要求される。【０００８】
本技術は、このような状況に鑑みてなされたものであり、より簡単な操作で、所望のコンテンツを視聴することができるようにするものである。
【課題を解決するための手段】
【０００９】
本技術の情報処理装置は、所定の特定情報にテレビジョン受像機の所定のチャンネルを割り当てる割り当て部と、所定の電子機器または所定のユーザによって指定された少なくとも１つのコンテンツと前記特定情報とを関連付ける関連付け部と、前記テレビジョン受像機において前記チャンネルが選択されたことに応じて、前記テレビジョン受像機から、前記特定情報と関連付けられた前記コンテンツのリクエストを受信する受信部と、前記リクエストに応じて、前記コンテンツを前記テレビジョン受像機に配信するように制御する配信制御部とを備える。【００１０】
本技術の情報処理方法は、所定の特定情報にテレビジョン受像機の所定のチャンネルを割り当て、所定の電子機器または所定のユーザによって指定された少なくとも１つのコンテンツと前記特定情報とを関連付け、前記テレビジョン受像機において前記チャンネルが選択されたことに応じて、前記テレビジョン受像機から、前記特定情報と関連付けられた前記コンテンツのリクエストを受信し、前記リクエストに応じて、前記コンテンツを前記テレビジョン受像機に配信するように制御するステップを含む。【００１１】
本技術の情報処理装置および情報処理方法においては、所定の特定情報にテレビジョン受像機の所定のチャンネルが割り当てられ、所定の電子機器または所定のユーザによって指定された少なくとも１つのコンテンツと特定情報とが関連付けられ、テレビジョン受像機においてチャンネルが選択されたことに応じて、テレビジョン受像機からの、特定情報と関連付けられたコンテンツのリクエストが受信され、リクエストに応じて、コンテンツがテレビジョン受像機に配信されるように制御される。【００１２】
本技術の受信装置は、所定の情報処理装置によって所定の特定情報が割り当てられた所定のチャンネルの選択を受け付ける選択受付部と、前記チャンネルが選択されたことに応じて、前記情報処理装置に、所定の電子機器または所定のユーザによって指定された少なくとも１つのコンテンツであって、前記情報処理装置によって前記特定情報と関連付けられた前記コンテンツのリクエストを送信する送信部と、前記リクエストに応じて配信される前記コンテンツを受信する受信部とを備える。【００１３】
本技術の受信方法は、所定の情報処理装置によって所定の特定情報が割り当てられた所定のチャンネルの選択を受け付け、前記チャンネルが選択されたことに応じて、前記情報処理装置に、所定の電子機器または所定のユーザによって指定された少なくとも１つのコンテンツであって、前記情報処理装置によって前記特定情報と関連付けられた前記コンテンツのリクエストを送信し、前記リクエストに応じて配信される前記コンテンツを受信するステップを含む。【００１４】
本技術の受信装置および受信方法においては、所定の情報処理装置によって所定の特定情報が割り当てられた所定のチャンネルの選択が受け付けられ、チャンネルが選択されたことに応じて、情報処理装置に、所定の電子機器または所定のユーザによって指定された少なくとも１つのコンテンツであって、情報処理装置によって特定情報と関連付けられたコンテンツのリクエストが送信され、リクエストに応じて配信されるコンテンツが受信される。
【発明の効果】
【００１５】
本技術の一側面によれば、より簡単な操作で、所望のコンテンツを視聴することが可能となる。
【図面の簡単な説明】
【００１６】
【図１】本技術を適用したコンテンツ配信システムの構成例を示す図である。
【図２】コンテンツの配信の流れについて説明する図である。
【図３】サーバの機能構成例を示すブロック図である。
【図４】テレビジョン受像機の機能構成例を示すブロック図である。
【図５】コンテンツ配信処理について説明するフローチャートである。
【図６】コンテンツ受信処理について説明するフローチャートである。
【図７】コンテンツの配信の流れについて説明する図である。
【図８】コンテンツの配信の流れについて説明する図である。
【図９】モバイル機器とテレビジョン受像機とのリンクについて説明する図である。
【図１０】モバイル機器とテレビジョン受像機とのリンクについて説明する図である。
【図１１】コンテンツの配信の流れについて説明する図である。
【図１２】モバイル機器とテレビジョン受像機とのリンクについて説明する図である。
【図１３】テレビジョン受像機に表示されるEPGの例を示す図である。
【図１４】コンテンツの配信の流れについて説明する図である。
【図１５】モバイル機器とテレビジョン受像機とのリンクについて説明する図である。
【図１６】モバイル機器とテレビジョン受像機とのリンクについて説明する図である。
【図１７】テレビジョン受像機に表示されるEPGの例を示す図である。
【図１８】コンテンツの配信の流れについて説明する図である。
【図１９】インデックスファイル生成処理について説明するフローチャートである。
【図２０】インデックスファイルの例を示す図である。
【図２１】コンテンツ配信処理について説明するフローチャートである。
【図２２】テレビジョン受像機に表示されるEPGの例を示す図である。
【図２３】コンテンツ配信システムの他の構成例を示す図である。
【図２４】テレビジョン受像機に表示されるチャンネルリストの例を示す図である。
【図２５】コンピュータの機能構成例を示すブロック図である。
【発明を実施するための形態】
【００１７】
以下、本技術の実施の形態について図を参照して説明する。
【００１８】
＜コンテンツ配信システムの構成例＞
図１は、本技術を適用したコンテンツ配信システムの構成例を示している。
【００１９】
図１に示されるコンテンツ配信システムは、モバイル機器１１、サーバ１２、テレビジョン受像機１３、およびリモートコマンダ１４から構成される。ここでは、同一のユーザが、モバイル機器１１およびテレビジョン受像機１３を所有するものとするが、別々のユーザが、それぞれを所有するようにしてもよい。
【００２０】
モバイル機器１１は、携帯可能な電子機器である。モバイル機器１１は、例えば、スマートフォンなどの携帯電話機や、タブレット端末などである。
【００２１】
サーバ１２は、インターネットなどのネットワークを介して、モバイル機器１１やテレビジョン受像機１３と接続される。
【００２２】
テレビジョン受像機１３は、ユーザにより選択されたチャンネルのテレビジョン放送を受信することで、対応するテレビジョン放送番組の映像を表示するとともに音声を出力する。
【００２３】
リモートコマンダ１４は、テレビジョン放送のチャンネルを選択するためのボタンなどを有している。ユーザは、リモートコマンダ１４のボタンを操作することで、テレビジョン放送のチャンネルを選択することができる。これにより、ユーザは、所望のテレビジョン放送番組を視聴することができる。
【００２４】
また、図１に示されるコンテンツ配信システムにおいて、ユーザは、テレビジョン放送のチャンネルのうち、テレビジョン放送に用いられていないチャンネル（空きチャンネル）で、モバイル機器１１によって指定されたコンテンツを視聴することができる。
【００２５】
例えば、サーバ１２上の所定のURL（Uniform Resource Locater）に、テレビジョン受像機１３においてテレビジョン放送に用いられていない空きチャンネル、例えばチャンネル０（Ch.0）が割り当てられる。また、図２に示されるように、モバイル機器１１のカメラ機能によって撮影された画像（静止画像）が、サーバ１２上の所定のURLにアップロードされる。テレビジョン受像機１３においてCh.0が選択された場合、サーバ１２上の所定のURLにアップロードされた画像が、テレビジョン受像機１３に配信される。これら一連の流れは、所定の手法により、モバイル機器１１とテレビジョン受像機１３とのリンクが行われることで実現される。
【００２６】
このような構成により、ユーザは、リモートコマンダ１４のボタンを操作しCh.0を選択することで、モバイル機器１１を用いて撮影した画像を、テレビジョン受像機１３で視聴することができるようになる。
【００２７】
なお、本技術を適用したコンテンツ配信システムは、上述したような、モバイル機器１１によってコンテンツが指定される構成に限らず、所定のユーザによってコンテンツが指定される構成を採ることもできる。例えば、ユーザが、固有のユーザIDによって所定の動画投稿サイトにログインし、その動画投稿サイトにおける所定のコンテンツ（動画像）を指定するようにしてもよい。
【００２８】
このような構成により、ユーザは、リモートコマンダ１４のボタンを操作しCh.0を選択することで、自身が検索または投稿した動画像を、テレビジョン受像機１３で視聴することができるようになる。
【００２９】
＜サーバの機能構成例＞
次に、図３を参照して、サーバ１２の機能構成例について説明する。
【００３０】
サーバ１２は、通信部３１、割り当て部３２、関連付け部３３、配信制御部３４、および設定部３５を備える。
【００３１】
通信部３１は、インターネットなどのネットワークを介して、モバイル機器１１やテレビジョン受像機１３との通信を行う。
【００３２】
割り当て部３２は、テレビジョン受像機１３との通信に基づいて、所定の特定情報に、テレビジョン受像機１３においてテレビジョン放送に用いられていない空きチャンネル（例えばCh.0）を割り当てる。ここでいう特定情報は、リソースを特定する情報であり、例えば、所定のURLや所定のIDなどである。なお、所定のURLは、サーバ１２上のリソースを特定するものであってもよいし、WWW（World Wide Web）上の所定のリソースを特定するものであってもよい。なお、以下においては、特定情報は所定のURLであるものとして説明する。
【００３３】
関連付け部３３は、モバイル機器１１との通信に基づいて、モバイル機器１１によって指定された少なくとも１つのコンテンツ（具体的には、アップロードが指示されたコンテンツ）と所定のURLとを関連付ける。すなわち、１つのコンテンツと所定のURLとが関連付けられてもよいし、複数のコンテンツと所定のURLとが関連付けられてもよい。
【００３４】
所定のURLには、モバイル機器１１によって指定されたコンテンツがアップロードされることになる。ここで、テレビジョン受像機１３においてCh.0が選択されると、通信部３１は、テレビジョン受像機１３から、所定のURLにアップロードされたコンテンツのリクエストを受信する。
【００３５】
配信制御部３４は、テレビジョン受像機１３からからのリクエストに応じて、所定のURLにアップロードされたコンテンツを、テレビジョン受像機１３に配信するように制御する。
【００３６】
設定部３５は、モバイル機器１１によって複数のコンテンツが指定された場合、それらのコンテンツが配信される際の優先順位を設定する。
【００３７】
＜テレビジョン受像機の機能構成例＞
次に、図４を参照してテレビジョン受像機１３の機能構成例について説明する。
【００３８】
テレビジョン受像機１３は、選択受付部５１、送信部５２、テレビジョン放送受信部５３、コンテンツ受信部５４、EPGデータ生成部５５、および表示部５６を備える。
【００３９】
選択受付部５１は、リモートコマンダ１４において、テレビジョン放送のチャンネルを選択するためのボタンが操作されると、そのチャンネルの選択を受け付ける。
【００４０】
送信部５２は、テレビジョン放送に用いられていない空きチャンネル（例えばCh.0）の選択が受け付けられると、サーバ１２に、モバイル機器１１（または所定のユーザ）によって指定された少なくとも１つのコンテンツであって、サーバ１２によって所定の特定情報（所定のURL）と関連付けられたコンテンツのリクエストを送信する。
【００４１】
テレビジョン放送受信部５３は、テレビジョン放送に用いられているチャンネルの選択が受け付けられると、そのチャンネルのテレビジョン放送を受信する。
【００４２】
コンテンツ受信部５４は、送信部５２によって送信されたリクエストに応じて配信されるコンテンツを受信する。
【００４３】
EPGデータ生成部５５は、テレビジョン放送のチャンネル毎に送信されてくる番組データに基づいて、EPGを表示するためのEPGデータを生成する。このとき、空きチャンネルにおいて、所定のURLにアップロードされたコンテンツが配信されることを示す表示情報を含むEPGを表示するためのEPGデータが生成される。
【００４４】
表示部５６は、テレビジョン放送受信部５３により受信されたテレビジョン放送の番組や、コンテンツ受信部５４により受信されたコンテンツを表示する。また、表示部５５は、EPGデータ生成部５５により生成されたEPGデータに基づいて、EPGを表示する。
【００４５】
＜サーバのコンテンツ配信処理について＞
図５は、サーバ１２のコンテンツ配信処理について説明するフローチャートである。図５の処理には、所定の手法により、モバイル機器１１とテレビジョン受像機１３とのリンクが行われることで実行される。
【００４６】
ステップＳ３１において、割り当て部３２は、テレビジョン受像機１３との通信に基づいて、サーバ１２上の所定のURLに、テレビジョン受像機１３においてテレビジョン放送に用いられていない空きチャンネルとして、Ch.0を割り当てる。
【００４７】
ステップＳ３２において、関連付け部３３は、モバイル機器１１との通信に基づいて、所定のURLとモバイル機器１１によって指定されたコンテンツ（例えば、モバイル機器１１によって撮影された画像）とを関連付ける。
【００４８】
ステップＳ３３において、通信部３１は、テレビジョン受像機１３から、所定のURLにアップロードされたコンテンツのリクエストを受信したか否かによって、テレビジョン受像機１３においてCh.0が選択されたか否かを判定する。
【００４９】
テレビジョン受像機１３においてCh.0が選択されるまで、すなわち、通信部３１がテレビジョン受像機１３からのコンテンツのリクエストを受信するまで、ステップＳ３４の処理は繰り返される。そして、テレビジョン受像機１３においてCh.0が選択され、通信部３１がコンテンツのリクエストを受信すると、処理はステップＳ３４に進む。
【００５０】
ステップＳ３４において、配信制御部３４は、テレビジョン受像機１３からからのリクエストに応じて、モバイル機器１１により所定のURLにアップロードされたコンテンツを、テレビジョン受像機１３に配信するように制御する。このとき、そのコンテンツがテレビジョン受像機１３にダウンロードされるようにしてもよいし、配信制御部３４がそのコンテンツを用いてWebページを作成するようにし、そのWebページがテレビジョン受像機１３においてブラウザにより閲覧可能となるようにしてもよい。
【００５１】
＜テレビジョン受像機のコンテンツ受信処理について＞
図６は、テレビジョン受像機１３のコンテンツ受信処理について説明するフローチャートである。
【００５２】
ステップＳ５１において、選択受付部５１は、リモートコマンダ１４においてCh.0を選択するためのボタンが操作されたか否かを判定する。
【００５３】
リモートコマンダ１４においてCh.0を選択するためのボタンが操作されるまで、ステップＳ５１の処理は繰り返される。そして、リモートコマンダ１４においてCh.0を選択するためのボタンが操作されると、処理はステップＳ５２に進む。
【００５４】
ステップＳ５２において、送信部５２は、サーバ１２に、モバイル機器１１により所定のURLにアップロードされたコンテンツ（モバイル機器１１によって撮影された画像）のリクエストを送信する。
【００５５】
そして、ステップＳ５３において、コンテンツ受信部５４は、送信部５２によって送信されたリクエストに応じて配信されるコンテンツを受信する。このとき、そのコンテンツがテレビジョン受像機１３にダウンロードされるようにしてもよいし、サーバ１２がそのコンテンツを用いてWebページを作成するようにし、そのWebページがテレビジョン受像機１３においてブラウザにより閲覧可能となるようにしてもよい。
【００５６】
以上の処理によれば、ユーザは、テレビジョン放送番組を視聴するのと同じようにして、テレビジョン受像機１３のリモートコマンダ１４を用いた簡単な操作で、あらかじめアップロードした所望のコンテンツを視聴することが可能となる。
【００５７】
以上においては、サーバ１２上の所定のURLには、モバイル機器１１によって撮影された画像が直接アップロードされるものとしたが、図７に示されるように、インデックスファイル７１がアップロードされるようにしてもよい。この場合、モバイル機器１１によって撮影された画像は、サーバ１２上の他の領域に保存されてもよいし、ネットワーク上の他の機器などに保存されてもよい。
【００５８】
インデックスファイル７１は、モバイル機器１１によって生成される。インデックスファイル７１には、モバイル機器１１によって撮影された画像のタイトルや、その画像が保存されている位置を示すURLなどが記述されている。
【００５９】
この場合、テレビジョン受像機１３においてCh.0が選択されると、インデックスファイルに記述されているURLに保存されている画像が、テレビジョン受像機１３において閲覧可能となる。
【００６０】
また、サーバ１２上の所定のURLにアップロードされるコンテンツは、静止画像に限らず、動画像や音声、テキストであってもよいし、所定のWebページのブックマークであってもよい。
【００６１】
サーバ１２上の所定のURLに、所定のWebページのブックマークをアップロードする場合、図８に示されるように、インデックスファイル８１がアップロードされるようにする。
【００６２】
インデックスファイル８１もまた、モバイル機器１１によって作成される。インデックスファイル８１には、所定のWebページのURLなどが記述されている。
【００６３】
この場合、テレビジョン受像機１３においてCh.0が選択されると、インデックスファイルに記述されているURLで示される所定のWebページが、テレビジョン受像機１３において閲覧可能となる。
【００６４】
これにより、ユーザは、外出先などで検索したWebページを、帰宅後、テレビジョン受像機１３においてCh.0を選択することで、簡単に閲覧することができるようになる。
【００６５】
＜モバイル機器とテレビジョン受像機とのリンクについて＞
モバイル機器１１とテレビジョン受像機１３とのリンクは、テレビジョン受像機１３においてモバイル機器１１の登録メニューを用意することで行われる。
【００６６】
例えば、テレビジョン受像機１３におけるモバイル機器１１の登録メニューにおいて、図９に示されるように、テレビジョン受像機１３によりID９１が発行され、モニタ（表示部５６）に表示される。図９の例では、ID９１は、８桁の数値「1384736」とされる。そのID９１が、ユーザの操作によりモバイル機器１１に直接入力されることで、モバイル機器１１とテレビジョン受像機１３とのリンクが行われる。これにより、サーバ１２は、所定のURLにテレビジョン受像機における空きチャンネルを割り当て、モバイル機器１１によって指定されたコンテンツと所定のURLとを関連付けるようになる。
【００６７】
この場合、ID９１を用いて、例えば、以下のようなURLが定義される。
【００６８】
URL：www.somy.com/brabia/xxxxx/ID=1384736
【００６９】
なお、上述したインデックスファイルにID９１が記述されるようにしてもよい。
【００７０】
また、テレビジョン受像機１３におけるモバイル機器１１の登録メニューにおいて、テレビジョン受像機１３によりIDが発行され、図１０に示されるように、そのIDを含む情報がコード化されたQRコード（登録商標）９２などのコードがモニタに表示されるようにしてもよい。この場合、QR（登録商標）コード９２が、モバイル機器１１に読み込まれることで、モバイル機器１１とテレビジョン受像機１３とのリンクが行われる。
【００７１】
このとき、QR（登録商標）コード９２に所定のURL自体が含まれるようにし、上述したURLが定義されるようにしてもよい。
【００７２】
＜コンテンツの種別毎での関連付け＞
本実施の形態においては、複数のURLそれぞれに異なるチャンネルを割り当て、モバイル機器によって指定されるコンテンツの種別毎に、複数のURLそれぞれとコンテンツとを関連付けるようにもできる。
【００７３】
（コンテンツの種別がモバイル機器を特定するIDである例）
例えば、図１１に示されるように、サーバ１２上の所定のURL1には、テレビジョン受像機１３においてテレビジョン放送に用いられていない空きチャンネル98（Ch.98）が割り当てられる。同様に、サーバ１２上の所定のURL2には、テレビジョン受像機１３においてテレビジョン放送に用いられていない空きチャンネル99（Ch.99）が割り当てられる。
【００７４】
図１１の例では、あるユーザが所有するモバイル機器１１−１によって撮影された画像１が、サーバ１２上の所定のURL1にアップロードされ、他のユーザが所有するモバイル機器１１−２によって撮影された画像２が、サーバ１２上の所定のURL2にアップロードされる。もちろん、図７を参照して説明したように、それぞれの画像についての情報が記述されたインデックスファイルが、それぞれのURLにアップロードされるようにしてもよい。
【００７５】
そして、テレビジョン受像機１３においてCh.98が選択された場合、サーバ１２上の所定のURL1にアップロードされた画像が、テレビジョン受像機１３に配信される。また、テレビジョン受像機１３においてCh.99が選択された場合、サーバ１２上の所定のURL2にアップロードされた画像が、テレビジョン受像機１３に配信される。
【００７６】
この例において、モバイル機器１１−１とテレビジョン受像機１３とのリンク、および、モバイル機器１１−２とテレビジョン受像機１３とのリンクは、図９や図１０の例と同様にして、テレビジョン受像機１３によりモバイル機器１１−１，１１−２それぞれに対してIDが発行されることで行われる。
【００７７】
それぞれのIDが、８桁の数値「1384736」、「1384737」であったとすると、例えば、以下のようなURL1，URL2が定義される。
【００７８】
URL1：www.somy.com/brabia/xxxxx/ID=1384736
URL2：www.somy.com/brabia/xxxxx/ID=1384737
【００７９】
すなわち、図１１の例では、モバイル機器１１−１，１１−２それぞれを特定するID毎に、モバイル機器１１−１，１１−２それぞれによって指定されたコンテンツとURL1，URL2それぞれとが関連付けられるようになる。
【００８０】
また、図１２に示されるように、テレビジョン受像機１３のモニタに表示される登録メニュー１１１において、テレビジョン放送に用いられていない空きチャンネル（Ch.98，Ch.99）が表示されるようにしてもよい。このとき、選択されている空きチャンネル（Ch.98）に対応するQRコード(登録商標)１１２が表示されるようにする。
【００８１】
この場合、QRコード(登録商標)１１２が、モバイル機器１１−１に読み込まれることで、モバイル機器１１−１とテレビジョン受像機１３とのリンクが行われる。
【００８２】
図１１および図１２の例においては、テレビジョン受像機１３のモニタに、Ch.98でURL1にアップロードされたコンテンツが配信され、Ch.99でURL2にアップロードされたコンテンツが配信されることを示すEPGが表示される。
【００８３】
図１３は、テレビジョン受像機１３に表示されるEPGの例を示す図である。
【００８４】
図１３に示されるEPGにおいて、Ch.1乃至Ch.5については、それぞれのチャンネルに対応する放送局のアイコンとともに、それぞれのチャンネルにおいて各時間帯に放送される番組のタイトルが一覧として表示されている。
【００８５】
また、図１３に示されるEPGにおいて、Ch.98については、モバイル機器１１−１のユーザのチャンネルであることを示す“brother's channel”のアイコンと、モバイル機器１１−１によってアップロードされた画像「猫の写真」、「犬の写真」、および「うさぎの写真」を示す表示情報として、それぞれのタイトル１２１が表示されている。
【００８６】
同様に、Ch.99については、モバイル機器１１−２のユーザのチャンネルであることを示す“sister's channel”のアイコンと、モバイル機器１１−２によってアップロードされた画像「海の写真」、「山の写真」、および「料理の写真」それぞれのタイトル１２２が表示されている。
【００８７】
すなわち、図１３の例では、テレビジョン受像機１３においてCh.98が選択されると、モバイル機器１１−１によってアップロードされた画像「猫の写真」、「犬の写真」、および「うさぎの写真」が閲覧可能となり、テレビジョン受像機１３においてCh.99が選択されると、モバイル機器１１−２によってアップロードされた画像「海の写真」、「山の写真」、および「料理の写真」が閲覧可能となる。
【００８８】
なお、図１３に示されるEPGにおいて、空きチャンネルで閲覧可能な画像のタイトルは、時間軸を示す方向に所定の順番で並んで表示されている。
【００８９】
この順番は、これらの画像がモバイル機器１１−１やモバイル機器１１−２によって指定された時刻（アップロードが指示された時刻）であってもよいし、モバイル機器１１−１やモバイル機器１１−２のユーザの嗜好の強い順番であってもよい。
【００９０】
（コンテンツの種別がメディアの種類である例）
例えば、図１４に示されるように、サーバ１２上の所定のURL1には、テレビジョン受像機１３においてテレビジョン放送に用いられていない空きチャンネル98（Ch.98）が割り当てられる。同様に、サーバ１２上の所定のURL2には、テレビジョン受像機１３においてテレビジョン放送に用いられていない空きチャンネル99（Ch.99）が割り当てられる。
【００９１】
図１４の例では、モバイル機器１１によって撮影された静止画像が、サーバ１２上の所定のURL1にアップロードされ、モバイル機器１１によって撮影された動画像が、サーバ１２上の所定のURL2にアップロードされる。もちろん、図７を参照して説明したように、静止画像および動画像それぞれについての情報が記述されたインデックスファイルが、それぞれのURLにアップロードされるようにしてもよい。
【００９２】
そして、テレビジョン受像機１３においてCh.98が選択された場合、サーバ１２上の所定のURL1にアップロードされた静止画像が、テレビジョン受像機１３に配信される。また、テレビジョン受像機１３においてCh.99が選択された場合、サーバ１２上の所定のURL2にアップロードされた動画像が、テレビジョン受像機１３に配信される。
【００９３】
この例において、モバイル機器１１とテレビジョン受像機１３とのリンクは、図９や図１０の例と同様にして、テレビジョン受像機１３によりモバイル機器１１に対してIDが発行されることで行われる。
【００９４】
モバイル機器１１のIDが、８桁の数値「1384736」であったとすると、例えば、以下のようなURL1，URL2が定義される。
【００９５】
URL1：www.somy.com/brabia/xxxxx/ID=1384736/media=photo
URL2：www.somy.com/brabia/xxxxx/ID=1384736/media=movie
【００９６】
すなわち、図１４の例では、モバイル機器１１によって指定されたコンテンツのメディアの種類毎に、モバイル機器１１によって指定されたコンテンツそれぞれとURL1，URL2それぞれとが関連付けられるようになる。なお、メディアの種類としては、静止画像、動画像の他、音声、テキストなどが挙げられる。
【００９７】
また、図１５に示されるように、テレビジョン受像機１３のモニタに表示される登録メニュー１３１において、テレビジョン放送に用いられていない空きチャンネル（Ch.98，Ch.99）が表示されるようにしてもよい。このとき、選択されている空きチャンネル（Ch.98）に対応するQRコード(登録商標)１３２が表示されるようにする。
【００９８】
この場合、QRコード(登録商標)１３２が、モバイル機器１１に読み込まれることで、モバイル機器１１とテレビジョン受像機１３とのリンクが行われる。
【００９９】
また、図１６に示されるように、テレビジョン受像機１３のモニタに表示されるQRコード(登録商標)１４１に、空きチャンネルを示す空きチャンネル情報が含まれるようにしてもよい。この場合、モバイル機器１１に対するユーザの操作に基づいて、モバイル機器１１によって指定されたコンテンツと、空きチャンネルが割り当てられたURLとが関連付けられるようにしてもよい。
【０１００】
図１４、図１５、および図１６の例においては、テレビジョン受像機１３のモニタに、Ch.98でURL1にアップロードされたコンテンツが配信され、Ch.99でURL2にアップロードされたコンテンツが配信されることを示すEPGが表示される。
【０１０１】
図１７は、テレビジョン受像機１３に表示されるEPGの例を示す図である。
【０１０２】
図１７に示されるEPGにおいて、Ch.1乃至Ch.5については、それぞれのチャンネルに対応する放送局のアイコンとともに、それぞれのチャンネルにおいて各時間帯に放送される番組のタイトルが一覧として表示されている。
【０１０３】
また、図１７に示されるEPGにおいて、Ch.98については、静止画像のチャンネルであることを示す“my photo”のアイコンと、モバイル機器１１によってアップロードされた静止画像「猫の写真」、「犬の写真」、および「うさぎの写真」それぞれのタイトル１５１が表示されている。
【０１０４】
同様に、Ch.99については、動画像のチャンネルであることを示す“my movie”のアイコンと、モバイル機器１１によってアップロードされた動画像「海の動画」、「山の動画」、および「料理の動画」それぞれのタイトル１５２が表示されている。
【０１０５】
すなわち、図１７の例では、テレビジョン受像機１３においてCh.98が選択されると、モバイル機器１１によってアップロードされた静止画像「猫の写真」、「犬の写真」、および「うさぎの写真」が閲覧可能となり、テレビジョン受像機１３においてCh.99が選択されると、モバイル機器１１によってアップロードされた動画像「海の動画」、「山の動画」、および「料理の動画」が閲覧可能となる。
【０１０６】
なお、図１７に示されるEPGにおいても、空きチャンネルで閲覧可能な画像のタイトルは、時間軸を示す方向に所定の順番で並んで表示されている。
【０１０７】
この順番は、これらの画像がモバイル機器１１によって指定された時刻（アップロードが指示された時刻）であってもよいし、モバイル機器１１のユーザの嗜好の強い順番であってもよい。また、Ch.99で閲覧可能な動画像の順番については、これらの動画像の再生時間に基づく順番であってもよい。
【０１０８】
（その他の例）
以上においては、コンテンツの種別がモバイル機器を特定するIDである例と、メディアの種類である例について説明した。この他にも、コンテンツの種別は、コンテンツのジャンル（例えば、コンテンツが静止画像の場合には、風景画、人物画など）であってもよいし、コンテンツを指定した（アップロードを指示した）モバイル機器１１のユーザの嗜好の強さ（強・中・弱など）であってもよい。
【０１０９】
＜インデックスファイルの生成と利用＞
上述したように、サーバ１２上の所定のURLには、モバイル機器１１から、コンテンツが直接アップロードされる他、インデックスファイルがアップロードされるようにもできる。
【０１１０】
図１８は、インデックスファイルがアップロードされた場合のコンテンツの配信の流れについて説明する図である。
【０１１１】
図１８の例では、モバイル機器１１によって生成されたインデックスファイル１６１が、サーバ１２上の所定のURLにアップロードされる。
【０１１２】
インデックスファイル１６１には、モバイル機器１１によって撮影された複数の画像（画像１、画像２、画像３）のタイトルや、それらの画像が保存される位置を示すURLに加え、それらの画像についての優先順位などが記述されている。
【０１１３】
この場合、テレビジョン受像機１３においてCh.0が選択されると、インデックスファイル１６１に記述されているURLに保存されている画像それぞれが、優先順位に従って、テレビジョン受像機１３において閲覧可能となる。
【０１１４】
ここで、図１９のフローチャートを参照して、モバイル機器１１によるインデックスファイル生成処理について説明する。図１９の処理は、テレビジョン受像機１３によってIDが発行されることでモバイル機器１１の登録（モバイル機器１１とテレビジョン受像機１３とのリンク）が済み、かつ、コンテンツの保存先のURLが取得されている状態で実行可能とされる。
【０１１５】
ステップＳ１１１において、モバイル機器１１は、ユーザの操作によるコンテンツのタイトルの入力を受け付ける。ここでは、コンテンツは、モバイル機器１１によって撮影された例えば３枚の静止画像であるものとする。
【０１１６】
ステップＳ１１２において、モバイル機器１１は、ユーザの操作によるコンテンツの優先順位の入力を受け付ける。
【０１１７】
ステップＳ１１３において、モバイル機器１１は、既に取得されているURLにコンテンツをアップロードする。
【０１１８】
ステップＳ１１４において、モバイル機器１１は、ユーザの操作によって終了フラグが入力されたか否かを判定する。
【０１１９】
終了フラグが入力されるまで、ステップＳ１１４の処理は繰り返される。そして、終了フラグが入力されると、処理はステップＳ１１５に進む。
【０１２０】
ステップＳ１１５において、モバイル機器１１は、インデックスファイルを生成する。
【０１２１】
そして、ステップＳ１１６において、モバイル機器１１は、入力されたタイトルや優先順位、コンテンツがアップロードされたURLが記述されたインデックスファイルを、サーバ１２上の所定のURLにアップロードする。
【０１２２】
図２０は、モバイル機器１１により生成されたインデックスファイルの例を示している。
【０１２３】
図２０のインデックスファイルにおいて、先頭の領域１７１には、モバイル機器１１に対して発行されたIDが記述される。
【０１２４】
領域１７１の下の各行には、モバイル機器１１によってアップロードされたコンテンツに関する情報が記述される。
【０１２５】
具体的には、各行の先頭の領域１７２には、各コンテンツの優先順位が記述される。各行の２列目の領域１７３には、各コンテンツのタイトルが記述される。そして、各行の３列目の領域１７４には、各コンテンツの保存先のURLが記述される。
【０１２６】
図２０のインデックスファイルによれば、優先順位が１位のコンテンツである「猫の写真」が、www/myurl.net/で示される位置にcat.jpgとして保存されている。同様に、優先順位が２位のコンテンツである「犬の写真」が、www/myurl.net/で示される位置にdog.jpgとして保存され、優先順位が３位のコンテンツである「うさぎの写真」が、www/myurl.net/で示される位置にrabbit.jpgとして保存されている。
【０１２７】
次に、図２１のフローチャートを参照して、上述したインデックスファイルがアップロードされた場合のコンテンツ配信処理について説明する。
【０１２８】
なお、図２１のフローチャートのステップＳ１３１，Ｓ１３２の処理は、図５のフローチャートのステップＳ３１，Ｓ３２の処理と同様であるので、その説明は省略する。
【０１２９】
ステップＳ１３３において、設定部３５は、モバイル機器１１により所定のURLにアップロードされたインデックスファイルに基づいて、コンテンツの配信の優先順位を設定する。
【０１３０】
ステップＳ１３４において、通信部３１は、テレビジョン受像機１３から、所定のURLにアップロードされたコンテンツのリクエストを受信したか否かによって、テレビジョン受像機１３においてCh.0が選択されたか否かを判定する。
【０１３１】
テレビジョン受像機１３においてCh.0が選択されるまで、すなわち、通信部３１がテレビジョン受像機１３からのコンテンツのリクエストを受信するまで、ステップＳ１３４の処理は繰り返される。そして、テレビジョン受像機１３においてCh.0が選択され、通信部３１がコンテンツのリクエストを受信すると、処理はステップＳ１３５に進む。
【０１３２】
ステップＳ１３５において、配信制御部３４は、テレビジョン受像機１３からからのリクエストに応じて、設定された優先順位に従って、アップロードされたコンテンツを連続して、テレビジョン受像機１３に配信するように制御する。
【０１３３】
図２１の例においては、テレビジョン受像機１３のモニタに、Ch.0で所定のURLにアップロードされたコンテンツが、設定された優先順位に従って連続して配信されることを示すEPGが表示される。
【０１３４】
図２２は、テレビジョン受像機１３に表示されるEPGの例を示す図である。
【０１３５】
図２２に示されるEPGにおいて、Ch.1乃至Ch.5については、それぞれのチャンネルに対応する放送局のアイコンとともに、それぞれのチャンネルにおいて各時間帯に放送される番組のタイトルが一覧として表示されている。
【０１３６】
また、図２２に示されるEPGにおいて、Ch.0については、モバイル機器１１のユーザのチャンネルであることを示す“my channel”のアイコンと、モバイル機器１１によってアップロードされた画像「猫の写真」、「犬の写真」、および「うさぎの写真」それぞれのタイトル１８１が表示されている。これらの画像のタイトルは、時間軸を示す方向に、優先順位に従って表示されている。
【０１３７】
すなわち、図２２の例では、テレビジョン受像機１３においてCh.0が選択されると、モバイル機器１１によってアップロードされた画像「猫の写真」、「犬の写真」、および「うさぎの写真」が、優先順位に従って閲覧可能となる。もちろん、上述した例においても、アップロードされるコンテンツは、静止画像に限らず、動画像や音声、テキストなどであってもよい。つまり、コンテンツとして、複数の動画像がアップロードされている場合、テレビジョン受像機１３においてCh.0が選択されると、それらの動画像が、優先順位に従って、連続再生されるようになる。
【０１３８】
なお、上述した例では、ユーザの操作によりモバイル機器１１に入力されることで設定された優先順位に従って、複数のコンテンツが連続して配信されるものとしたが、モバイル機器１１によって各コンテンツが指定された時刻、具体的には、アップロードが指示された時刻の順番で、複数のコンテンツが連続して配信されるようにしてもよい。
【０１３９】
＜コンテンツ配信システムの他の構成例＞
上述したコンテンツ配信システムにおいては、サーバ１２とテレビジョン受像機１３とが別個に構成されるものとしたが、これらが一体として構成されるようにしてもよい。
【０１４０】
図２３は、本技術を適用したコンテンツ配信システムの他の構成例を示している。
【０１４１】
図２３において、テレビジョン受像機２０１は、上述したテレビジョン受像機１３の機能に加え、サーバ１２の機能を備える。このような構成により、上述したコンテンツ配信システムと同様の処理を実行することができる。
【０１４２】
また、上述したテレビジョン受像機１３が、セットトップボックスなどの受信装置と、モニタ（表示部５６）とから構成されるようにすることもできる。
【０１４３】
＜チャンネルの割り当てについて＞
以上においては、モバイル機器１１の登録に基づいて空きチャンネルに割り当てられるURLが、コンテンツをアップロードしたモバイル機器１１に対して発行されるIDや、コンテンツのメディアの種類に応じて定義されるものとした。
【０１４４】
ここで、所定のURLにアップロードされるコンテンツがWebページである場合には、テレビジョン受像機１３に表示されるチャンネルリストに、そのWebページのURLが直接入力されるようにしてもよい。
【０１４５】
図２４は、テレビジョン受像機１３に表示されるチャンネルリストの例を示している。
【０１４６】
図２４のチャンネルリスト２１１において、Ch.1乃至Ch.5については、それぞれのチャンネルに対応する放送局のアイコンが表示されている。
【０１４７】
また、チャンネルリスト２１１において、空きチャンネルであるCh.98については、ユーザにより入力されたURL“www.cat.com”が表示されている。さらに、空きチャンネルであるCh.99については、URLとして“www.dog.com”がユーザにより入力されている様子が示されている。
【０１４８】
すなわち、図２４の例では、テレビジョン受像機１３においてCh.98が選択されると、“www.cat.com”で特定されるWebページが閲覧可能となり、テレビジョン受像機１３においてCh.99が選択されると、“www.dog.com”で特定されるWebページが閲覧可能となる。
【０１４９】
＜変形例＞
以上においては、URLやIDなどの特定情報を介して、写真や動画などのコンテンツが空きチャンネルに対応付けられるものとしたが、これらのコンテンツがWeb上で共有可能なコンテンツ共有サービスや動画投稿サイトなど、各コンテンツを集約して提供するアグリゲートサービスが、空きチャンネルに対応付けられるようにしてもよい。このとき、空きチャンネルに対応付けられるサービスの候補を複数用意し、そのいずれかをユーザに選択させることで、アグリゲートサービスが、空きチャンネルに対応付けられるようにする。
【０１５０】
これにより、ユーザは、テレビジョン受像機１３においてその空きチャンネルを選択するだけで、コンテンツ共有サービスや動画投稿サイトを視聴することが可能となる。
【０１５１】
＜応用例＞
以上においては、本技術を、モバイル機器によって指定された画像やWebページをテレビジョン受像器で閲覧可能とするコンテンツ配信システムに適用した例について説明してきたが、本技術は、他の分野に応用することもできる。
【０１５２】
例えば、本技術を、監視システムに適用するようにしてもよい。この場合、監視カメラで撮像された静止画像や動画像を、テレビジョン受像機において容易に確認することができる。
【０１５３】
また、本技術を、圃場管理システムに適用するようにしてもよい。この場合、農作業を行う者が所有する携帯端末で撮像された、圃場の状態や作物の育成状況などの静止画像を、テレビジョン受像機において容易に確認することができる。
【０１５４】
さらに、本技術を、自動車の運転画像記録システムに適用するようにしてもよい。この場合、車載カメラで撮像された映像を、テレビジョン受像機において容易に確認することができる。
【０１５５】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０１５６】
図２５は、上述した一連の処理をプログラムにより実行するコンピュータのハードウェアの構成例を示すブロック図である。
【０１５７】
コンピュータにおいて、CPU９０１，ROM（Read Only Memory）９０２，RAM（Random Access Memory）９０３は、バス９０４により相互に接続されている。
【０１５８】
バス９０４には、さらに、入出力インタフェース９０５が接続されている。入出力インタフェース９０５には、入力部９０６、出力部９０７、記憶部９０８、通信部９０９、およびドライブ９１０が接続されている。
【０１５９】
入力部９０６は、キーボード、マウス、マイクロフォンなどよりなる。出力部９０７は、ディスプレイ、スピーカなどよりなる。記憶部９０８は、ハードディスクや不揮発性のメモリなどよりなる。通信部９０９は、ネットワークインタフェースなどよりなる。ドライブ９１０は、磁気ディスク、光ディスク、光磁気ディスク、または半導体メモリなどのリムーバブルメディア９１１を駆動する。
【０１６０】
以上のように構成されるコンピュータでは、CPU９０１が、例えば、記憶部９０８に記憶されているプログラムを、入出力インタフェース９０５およびバス９０４を介して、RAM９０３にロードして実行することにより、上述した一連の処理が行われる。
【０１６１】
コンピュータ（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線または無線の伝送媒体を介して提供することができる。
【０１６２】
コンピュータでは、プログラムは、リムーバブルメディア９１１をドライブ９１０に装着することにより、入出力インタフェース９０５を介して、記憶部９０８にインストールすることができる。また、プログラムは、有線または無線の伝送媒体を介して、通信部９０９で受信し、記憶部９０８にインストールすることができる。その他、プログラムは、ROM９０２や記憶部９０８に、あらかじめインストールしておくことができる。
【０１６３】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１６４】
また、本技術の実施の形態は、上述した実施の形態に限定されるものではなく、本技術の要旨を逸脱しない範囲において種々の変更が可能である。
【０１６５】
例えば、本技術は、１つの機能をネットワークを介して複数の装置で分担、共同して処理するクラウドコンピューティングの構成をとることができる。
【０１６６】
また、上述のフローチャートで説明した各ステップは、１つの装置で実行する他、複数の装置で分担して実行することができる。
【０１６７】
さらに、１つのステップに複数の処理が含まれる場合には、その１つのステップに含まれる複数の処理は、１つの装置で実行する他、複数の装置で分担して実行することができる。
【０１６８】
また、本技術は以下のような構成をとることができる。
（１）
所定の特定情報にテレビジョン受像機の所定のチャンネルを割り当てる割り当て部と、
所定の電子機器または所定のユーザによって指定された少なくとも１つのコンテンツと前記特定情報とを関連付ける関連付け部と、
前記テレビジョン受像機において前記チャンネルが選択されたことに応じて、前記テレビジョン受像機から、前記特定情報と関連付けられた前記コンテンツのリクエストを受信する受信部と、
前記リクエストに応じて、前記コンテンツを前記テレビジョン受像機に配信するように制御する配信制御部と
を備える情報処理装置。
（２）
前記割り当て部は、複数の前記特定情報それぞれに、異なる前記チャンネルを割り当て、
前記関連付け部は、前記コンテンツの種別毎に、複数の前記特定情報それぞれと前記コンテンツとを関連付ける
（１）に記載の情報処理装置。
（３）
前記コンテンツの種別は、前記コンテンツを指定した前記電子機器を特定するIDである
（２）に記載の情報処理装置。
（４）
前記コンテンツの種別は、メディアの種類である
（２）に記載の情報処理装置。
（５）
前記コンテンツの種別は、前記コンテンツのジャンル、または、前記コンテンツを指定した前記電子機器のユーザの嗜好の強さである
（２）に記載の情報処理装置。
（６）
前記関連付け部は、前記テレビジョン受像機の表示部に表示される情報が、前記電子機器に取得されることに応じて、前記電子機器によって指定された前記コンテンツと前記特定情報とを関連付ける
（２）に記載の情報処理装置。
（７）
前記表示部に表示される情報には、前記特定情報に割り当てられる前記チャンネルを示すチャンネル情報が含まれ、
前記関連付け部は、前記チャンネル情報が前記電子機器に取得されることに応じて、前記コンテンツの種別毎に、前記チャンネル情報で示される前記チャンネルに割り当てられた前記特定情報と前記コンテンツとを関連付ける
（６）に記載の情報処理装置。
（８）
前記配信制御部は、複数の前記コンテンツと前記特定情報とが関連付けられている場合、前記リクエストに応じて、所定の順番で、複数の前記コンテンツを連続して前記テレビジョン受像機に配信するように制御する
（１）乃至（７）のいずれかに記載の情報処理装置。
（９）
前記配信制御部は、前記コンテンツが前記電子機器によって指定された時刻の順番で、複数の前記コンテンツを連続して前記テレビジョン受像機に配信するように制御する
（８）に記載の情報処理装置。
（１０）
前記電子機器によって指定された複数の前記コンテンツの配信の優先順位を設定する設定部をさらに備え、
前記配信制御部は、設定された前記優先順位に従って、複数の前記コンテンツを連続して前記テレビジョン受像機に配信するように制御する
（８）に記載の情報処理装置。
（１１）
前記設定部は、前記電子機器に対するユーザの操作に基づいて、前記優先順位を設定する
（１０）に記載の情報処理装置。
（１２）
前記チャンネルは、テレビジョン放送に用いられていない空きチャンネルである
（１）乃至（１１）のいずれかに記載の情報処理装置。
（１３）
所定の特定情報にテレビジョン受像機の所定のチャンネルを割り当て、
所定の電子機器または所定のユーザによって指定された少なくとも１つのコンテンツと前記特定情報とを関連付け、
前記テレビジョン受像機において前記チャンネルが選択されたことに応じて、前記テレビジョン受像機から、前記特定情報と関連付けられた前記コンテンツのリクエストを受信し、
前記リクエストに応じて、前記コンテンツを前記テレビジョン受像機に配信するように制御する
ステップを含む情報処理方法。
（１４）
所定の情報処理装置によって所定の特定情報が割り当てられた所定のチャンネルの選択を受け付ける選択受付部と、
前記チャンネルが選択されたことに応じて、前記情報処理装置に、所定の電子機器または所定のユーザによって指定された少なくとも１つのコンテンツであって、前記情報処理装置によって前記特定情報と関連付けられた前記コンテンツのリクエストを送信する送信部と、
前記リクエストに応じて配信される前記コンテンツを受信する受信部と
を備える受信装置。
（１５）
前記チャンネルにおいて前記コンテンツが配信されることを示す表示情報を含むEPG（Electronic Program Guide）を表示するためのEPGデータを生成するEPGデータ生成部をさらに備える
（１４）に記載の受信装置。
（１６）
前記EPGデータ生成部は、複数の前記コンテンツが配信される場合、前記EPGにおいて時間軸を示す方向に所定の順番で、配信される複数の前記コンテンツの前記表示情報を並べて表示するための前記EPGデータを生成する
（１５）に記載の受信装置。
（１７）
前記所定の順番は、前記コンテンツが前記電子機器によって指定された時刻の順番である
（１６）に記載の受信装置。
（１８）
前記所定の順番は、前記コンテンツを指定した前記電子機器のユーザの操作に基づいて設定された優先順位である
（１６）に記載の受信装置。
（１９）
前記所定の順番は、前記コンテンツを指定した前記電子機器のユーザの嗜好の強い順番、または、前記コンテンツの再生時間に基づく順番である
（１６）に記載の受信装置。
（２０）
所定の情報処理装置によって所定の特定情報が割り当てられた所定のチャンネルの選択を受け付け、
前記チャンネルが選択されたことに応じて、前記情報処理装置に、所定の電子機器または所定のユーザによって指定された少なくとも１つのコンテンツであって、前記情報処理装置によって前記特定情報と関連付けられた前記コンテンツのリクエストを送信する送信部と、
前記リクエストに応じて配信される前記コンテンツを受信する
ステップを含む受信方法。
【符号の説明】
【０１６９】
１１  モバイル機器，  １２  サーバ，  １３  テレビジョン受像機，  １４  リモートコマンダ，  ３１  通信部，  ３２  割り当て部，  ３３  関連付け部，  ３４  配信部，  ３５  設定部，  ５１  選択受付部，  ５２  送信部，  ５３  テレビジョン放送受信部，  ５４  コンテンツ受信部，  ５５  EPGデータ生成部，  ５６  表示部
【図１】
2017090459.tif 000003
【図２】
2017090459.tif 000004
【図３】
2017090459.tif 000005
【図４】
2017090459.tif 000006
【図５】
2017090459.tif 000007
【図６】
2017090459.tif 000008
【図７】
2017090459.tif 000009
【図８】
2017090459.tif 000010
【図９】
2017090459.tif 000011
【図１０】
2017090459.tif 000012
【図１１】
2017090459.tif 000013
【図１２】
2017090459.tif 000014
【図１３】
2017090459.tif 000015
【図１４】
2017090459.tif 000016
【図１５】
2017090459.tif 000017
【図１６】
2017090459.tif 000018
【図１７】
2017090459.tif 000019
【図１８】
2017090459.tif 000020
【図１９】
2017090459.tif 000021
【図２０】
2017090459.tif 000022
【図２１】
2017090459.tif 000023
【図２２】
2017090459.tif 000024
【図２３】
2017090459.tif 000025
【図２４】
2017090459.tif 000026
【図２５】
2017090459.tif 000027
【国際調査報告】
2017090459.tif 000028
2017090459.tif 000029